【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】遊技機での遊技に関連して発生する遊技情報を、会員登録を行った遊技者であって該遊技者を特定可能な情報が記録された会員遊技者特定記録媒体を所有する会員遊技者、又は該会員登録を行っていない遊技者である非会員遊技者に対して公開するための遊技情報公開システムであって、
遊技機に対応して設けられ、前記会員遊技者特定記録媒体を受け付ける会員遊技者特定記録媒体受付手段と、前記遊技情報を含む各種の情報の表示を行う表示手段と、該表示手段に表示する表示内容の表示制御を行う表示制御手段と、を含む遊技情報公開装置と、
複数の遊技情報公開装置と通信可能に接続され、前記遊技情報のうち各遊技機の遊技機別遊技情報を該遊技機を特定可能な情報と対応付けて記憶する遊技機別遊技情報記憶手段と、前記遊技情報のうち各会員遊技者の会員個別遊技情報を該会員遊技者を特定可能な情報と対応付けて記憶する会員個別遊技情報記憶手段と、を含む遊技情報管理装置と、
からなり、
前記遊技情報管理装置は、
前記会員遊技者特定記録媒体受付手段により前記会員遊技者特定記録媒体が受け付けられていることに基づいて、遊技者に対して、前記遊技機別遊技情報及び該遊技者の前記会員個別遊技情報の公開を許容するか、又は前記遊技機別遊技情報の公開のみを許容するかを設定するための会員遊技者用公開情報設定手段と、
前記会員遊技者特定記録媒体受付手段により前記会員遊技者特定記録媒体が受け付けられていないことに基づいて、遊技者に対して、前記遊技機別遊技情報の公開のみを許容するか、又は遊技情報の公開を許容しないかを設定するための非会員遊技者用公開情報設定手段と、をさらに含み、
前記会員遊技者用公開情報設定手段及び前記非会員遊技者用公開情報設定手段による設定内容を前記複数の遊技情報公開装置各々に対して送信し、
前記表示制御手段は、前記遊技情報管理装置から受信した設定内容に応じて、前記会員遊技者特定記録媒体の受付中及び非受付中における表示内容の表示制御を行うことを特徴とする遊技情報公開システム。
【請求項２】請求項１に記載した遊技情報公開システムであって、
前記表示制御手段は、前記遊技情報管理装置から受信した設定内容に応じて、前記会員遊技者特定記録媒体の受付中と非受付中とで、公開可能な遊技情報の種類を示すメニュー表示の内容を変更する表示制御を行うことを特徴とする遊技情報公開システム。
【請求項３】請求項１又は２に記載した遊技情報公開システムであって、
前記表示制御手段は、前記会員遊技者特定記録媒体が非受付中である場合に、会員登録を促す旨の内容の表示制御を行うことを特徴とする遊技情報公開システム。
【請求項４】請求項１〜３のいずれか１つに記載した遊技情報公開システムであって、
前記会員遊技者が指定した電子メールアドレス宛に前記遊技情報を含む電子メールを送信する電子メール送信手段をさらに備えることを特徴とする遊技情報公開システム。
【手続補正２】
【補正対象書類名】明細書
【補正対象項目名】０００６
【補正方法】変更
【補正の内容】
【０００６】
まず請求項１に係る発明は、遊技機での遊技に関連して発生する遊技情報を、会員登録を行った遊技者であって該遊技者を特定可能な情報が記録された会員遊技者特定記録媒体を所有する会員遊技者、又は該会員登録を行っていない遊技者である非会員遊技者に対して公開するための遊技情報公開システムであって、遊技機に対応して設けられ、前記会員遊技者特定記録媒体を受け付ける会員遊技者特定記録媒体受付手段と、前記遊技情報を含む各種の情報の表示を行う表示手段と、該表示手段に表示する表示内容の表示制御を行う表示制御手段と、を含む遊技情報公開装置と、複数の遊技情報公開装置と通信可能に接続され、前記遊技情報のうち各遊技機の遊技機別遊技情報を該遊技機を特定可能な情報と対応付けて記憶する遊技機別遊技情報記憶手段と、前記遊技情報のうち各会員遊技者の会員個別遊技情報を該会員遊技者を特定可能な情報と対応付けて記憶する会員個別遊技情報記憶手段と、を含む遊技情報管理装置と、からなり、前記遊技情報管理装置は、前記会員遊技者特定記録媒体受付手段により前記会員遊技者特定記録媒体が受け付けられていることに基づいて、遊技者に対して、前記遊技機別遊技情報及び該遊技者の前記会員個別遊技情報の公開を許容するか、又は前記遊技機別遊技情報の公開のみを許容するかを設定するための会員遊技者用公開情報設定手段と、前記会員遊技者特定記録媒体受付手段により前記会員遊技者特定記録媒体が受け付けられていないことに基づいて、遊技者に対して、前記遊技機別遊技情報の公開のみを許容するか、又は遊技情報の公開を許容しないかを設定するための非会員遊技者用公開情報設定手段と、をさらに含み、前記会員遊技者用公開情報設定手段及び前記非会員遊技者用公開情報設定手段による設定内容を前記複数の遊技情報公開装置各々に対して送信し、前記表示制御手段は、前記遊技情報管理装置から受信した設定内容に応じて、前記会員遊技者特定記録媒体の受付中及び非受付中における表示内容の表示制御を行うことを特徴とする遊技情報公開システムである。
【手続補正３】
【補正対象書類名】明細書
【補正対象項目名】０００７
【補正方法】変更
【補正の内容】
【０００７】
また請求項２に係る発明は、請求項１に記載した遊技情報公開システムであって、前記表示制御手段は、前記遊技情報管理装置から受信した設定内容に応じて、前記会員遊技者特定記録媒体の受付中と非受付中とで、公開可能な遊技情報の種類を示すメニュー表示の内容を変更する表示制御を行うことを特徴とする遊技情報公開システムである。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
さらに請求項４に係る発明は、請求項１〜３のいずれか１つに記載した遊技情報公開システムであって、前記会員遊技者が指定した電子メールアドレス宛に前記遊技情報を含む電子メールを送信する電子メール送信手段をさらに備えることを特徴とする遊技情報公開システムである。
【手続補正６】
【補正対象書類名】明細書
【補正対象項目名】０１０１
【補正方法】変更
【補正の内容】
【０１０１】
まず請求項１に係る発明は、遊技機（パチンコ機２０）での遊技に関連して発生する遊技情報を、会員登録を行った遊技者であって該遊技者を特定可能な情報（会員ＩＤ）が記録された会員遊技者特定記録媒体（会員カード５）を所有する会員遊技者、又は該会員登録を行っていない遊技者である非会員遊技者に対して公開するための遊技情報公開システム（１）であって、遊技機に対応して設けられ、前記会員遊技者特定記録媒体を受け付ける会員遊技者特定記録媒体受付手段（会員カードＲ／Ｗ３４）と、前記遊技情報を含む各種の情報の表示を行う表示手段（ディスプレイ３５）と、該表示手段に表示する表示内容の表示制御を行う表示制御手段（制御部３２）と、を含む遊技情報公開装置（カードユニット３０）と、複数の遊技情報公開装置と通信可能に接続され、前記遊技情報のうち各遊技機の遊技機別遊技情報を該遊技機を特定可能な情報（台番号）と対応付けて記憶する遊技機別遊技情報記憶手段（遊技機別遊技情報ＤＢ５３ａ）と、前記遊技情報のうち各会員遊技者の会員個別遊技情報を該会員遊技者を特定可能な情報と対応付けて記憶する会員個別遊技情報記憶手段（会員個別遊技情報ＤＢ５３ｂ）と、を含む遊技情報管理装置（ホールコンピュータ５０）と、からなり、前記遊技情報管理装置は、前記会員遊技者特定記録媒体受付手段により前記会員遊技者特定記録媒体が受け付けられていることに基づいて、遊技者に対して、前記遊技機別遊技情報及び該遊技者の前記会員個別遊技情報の公開を許容するか、又は前記遊技機別遊技情報の公開のみを許容するかを設定するための会員遊技者用公開情報設定手段（入力装置５４及びディスプレイ５５）と、前記会員遊技者特定記録媒体受付手段により前記会員遊技者特定記録媒体が受け付けられていないことに基づいて、遊技者に対して、前記遊技機別遊技情報の公開のみを許容するか、又は遊技情報の公開を許容しないかを設定するための非会員遊技者用公開情報設定手段（入力装置５４及びディスプレイ５５）と、をさらに含み、前記会員遊技者用公開情報設定手段及び前記非会員遊技者用公開情報設定手段による設定内容を前記複数の遊技情報公開装置各々に対して送信し、前記表示制御手段は、前記遊技情報管理装置から受信した設定内容に応じて、前記会員遊技者特定記録媒体の受付中及び非受付中における表示内容の表示制御を行うことを特徴とする遊技情報公開システムである。
【手続補正７】
【補正対象書類名】明細書
【補正対象項目名】０１０２
【補正方法】変更
【補正の内容】
【０１０２】
また請求項２に係る発明は、請求項１に記載した遊技情報公開システム（１）であって、前記表示制御手段（制御部３２）は、前記遊技情報管理装置（ホールコンピュータ５０）から受信した設定内容に応じて、前記会員遊技者特定記録媒体（会員カード５）の受付中と非受付中とで、公開可能な遊技情報の種類を示すメニュー表示の内容を変更する表示制御を行うことを特徴とする遊技情報公開システムである。
【手続補正８】
【補正対象書類名】明細書
【補正対象項目名】０１０３
【補正方法】変更
【補正の内容】
【０１０３】
また請求項３に係る発明は、請求項１又は２に記載した遊技情報公開システム（１）であって、前記表示制御手段（制御部３２）は、前記会員遊技者特定記録媒体（会員カード５）が非受付中である場合に、会員登録を促す旨の内容の表示制御を行うことを特徴とする遊技情報公開システムである。
【手続補正９】
【補正対象書類名】明細書
【補正対象項目名】０１０４
【補正方法】削除
【補正の内容】
【手続補正１０】
【補正対象書類名】明細書
【補正対象項目名】０１０５
【補正方法】変更
【補正の内容】
【０１０５】
さらに請求項４に係る発明は、請求項１〜３のいずれか１つに記載した遊技情報公開システム（１）であって、前記会員遊技者が指定した電子メールアドレス宛に前記遊技情報を含む電子メールを送信する電子メール送信手段（会員管理コンピュータ６０）をさらに備えることを特徴とする遊技情報公開システムである。
【手続補正１１】
【補正対象書類名】明細書
【補正対象項目名】０１２４
【補正方法】変更
【補正の内容】
【０１２４】
まず請求項１に係る遊技情報公開システムによれば、会員遊技者特定記録媒体の受付中と非受付中において公開する遊技情報のレベルを設定できるので、会員遊技者と非会員遊技者とで公開する遊技情報のレベルに差をつけて会員遊技者を非会員遊技者よりも優遇することを希望する遊技場のニーズに対応することができると共に、ある営業日において公開する遊技情報の変更を希望する遊技場のニーズにも対応することができる。また会員遊技者に対しては会員個別遊技情報の公開も設定できるので、非会員遊技者との差別化をさらに図ることができる。従って、会員遊技者を非会員遊技者よりも優遇することにより、会員遊技者を増加することができる。さらに公開する遊技情報のレベルを遊技情報管理装置で設定すれば良いので、各遊技情報公開装置に対して該設定を行わなくて済む。
【手続補正１２】
【補正対象書類名】明細書
【補正対象項目名】０１２７
【補正方法】削除
【補正の内容】
【手続補正１３】
【補正対象書類名】明細書
【補正対象項目名】０１２８
【補正方法】変更
【補正の内容】
【０１２８】
さらに請求項４に係る遊技情報公開システムによれば、会員遊技者に対して遊技情報を含む電子メールが送信されるので、会員遊技者を非会員遊技者よりもさらに優遇することができる。